(57)【要約】      （修正有）【課題】負荷変動を抑えて圧電素子の性能を向上させるとともに、家屋敷地の通路内へ人又は車両が入ったとき、通路を点灯させる安全対策用の照明装置を提供する。【解決手段】家屋の通路内へ入ってくる人又は車両を検知して、通路を照明する照明装置であって、照明装置は空気６と不凍液７とを封入したビニールパイプ８からなる封入部を家屋通路の入口に敷設し、封入部の上側を人又は車両が通過するとき、封入部の空気及び不凍液の変化によって圧電素子を変形させて電圧を発生させる圧電素子部を有し、圧電素子部からの信号により、通路端部に設けたライト１２が点灯して通路を照明するように構成する。【選択図】図４
0003189382.tif 000002
【実用新案登録請求の範囲】
【請求項１】
家屋等の通路等内へ入ってくる人又は車両を検知して、該通路等を照明する照明装置であって、該照明装置は空気と不凍液等の液体とを封入した封入部を家屋等の通路等への入口等に敷設し、該封入部の上側を人又は車両が通過するとき、封入部の空気及び不凍液等の液体の変化によって圧電素子を変形させて電圧を発生させる圧電素子部を有し、該圧電素子部からの信号により、通路端部等に設けたライトが点灯して該通路等を照明できるように構成したことを特徴とする家屋等の通路等の照明装置。
【請求項２】
前記家屋等の通路等は駐車場への通路であって、該通路端部の照明及び又は駐車場を照明するように構成したことを特徴とする請求項１記載の家屋等の通路等の照明装置。
【請求項３】
前記家屋等の通路等は家屋の玄関から門までの通路であって、該門から該通路へ人が入ってきたとき、及び又は、玄関から通路へ入ったとき、該通路端部のライトが点灯し、人の進行に伴って順次ライトが点灯点滅して人を送迎する状態を呈するように構成したことを特徴とする請求項1記載の家屋等の通路等の照明装置。
【請求項４】
上記家屋等の通路等は家屋の階段であって該階段を人が上下移動するとき該階段脇又は天井に取り付けられているライトを点灯できるように構成されたことを特徴とする請求項1、２又は３記載の家屋等の通路等の照明装置。
【請求項５】
上記、上記空気と不凍液等の液体を封入した封入部はビニール又はゴム状パイプ内に空気と液体を封入し、一方を封止し、他方の開口部に圧電素子部を連結したことを特徴とする請求項１、２、３、又は４記載の家屋等の通路等の照明装置。
【考案の詳細な説明】
【技術分野】
【０００１】
本考案は、家屋等通路等の照明装置に関するものであり、特に、家屋の敷地内に車両又は人が入ってきたとき、或いは、家屋敷地外へ車両又は人が出る場合における通路端側に設けたライトが点灯できるようにした家屋等通路等の照明装置に関するものである。
【背景技術】
【０００２】
従来、侵入検知装置として、道路の工事現場などの作業領域内に侵入してくる車両等を検知して、作業領域内の作業者に知らせる侵入検知装置であって、該検知装置は空気封入部を有し、侵入する車両等が上側を走行する検出部と、圧電素子を有し、検出部上を車両等が走行した時の空気封入部内での空気の変化によって圧電素子を変形させて電圧を発生させる圧電素子部と圧電素子部の電圧を検出し信号を送信する送信部と、送信部の信号を受信し、作業者に車両等の侵入を知らせる警報部とを備えているものである。（例えば特開２０１３−２１８６１８号公報参照）
【先行技術文献】
【特許文献】
【０００３】
【特許文献１】特開２０１３−２１８６１８号公報
【考案の概要】
【考案が解決しようとする課題】
【０００４】
上記従来例は、例えば、高速道路の工事現場における作業者の安全を守るために、工事現場への危険車両の侵害を未然に作業者に告知して危険から速く逃避できるようにしたものであって、検知装置は空気のみを封入しているので、空気圧の負荷変動が大きく圧電素子の圧電性能を適正に期待し得ないと云う欠陥を有する。
又、家屋敷地内の通路に例えば人又は車両が入ったとき、従来例では通路内を照明する手段がない。
そこで、圧電素子の圧電性能を向上させるとともに、家屋敷地の通路内へ人又は車両が入ったとき、該通路を点灯させて人又は車両通過の安全が期待できるようにするために、解決せられるべき技術的課題が生じる。
【課題を解決するための手段】
【０００５】
本考案は、上記課題を解決するために提案せられたものであり、請求項１記載の考案は、家屋等の通路等内へ入ってくる人又は車両を検知して、該通路等を照明する照明装置であって、該照明装置は空気と不凍液等の液体とを封入した封入部を家屋等の通路等への入口等に敷設し、該封入部の上側を人又は車両が通過するとき、封入部の空気及び不凍液等の液体の変化によって圧電素子を変形させて電圧を発生させる圧電素子部を有し、該圧電素子部からの信号により、通路端部等に設けたライトが点灯して該通路等を照明できるように構成したことを特徴とする家屋等の通路等の照明装置を提供するものである。
【０００６】
請求項２記載の考案は、前記家屋通路前は駐車場への通路であって、該通路端部の照明及び又は駐車場を照明するように構成したことを特徴とする請求項１記載の家屋等の通路等の照明装置を提供する。
【０００７】
請求項３記載の考案は、前記家屋等の通路等は家屋の玄関から門までの通路であって、該門から該通路へ人が入ってきたとき、及び又は、玄関から通路へ入ったとき、該通路端部のライトが点灯し、人の進行に伴って順次ライトが点灯点滅して人を送迎する状態を呈するように構成したことを特徴とする請求項1記載の家屋等の通路等の照明装置を提供する。
【０００８】
請求項４記載の考案は、上記家屋等の通路等は家屋の階段であって該階段を人が上下移動するとき該階段脇又は天井に取り付けられているライトを照明できるように構成されたことを特徴とする請求項1、２又は３記載の家屋等の通路等の照明装置を提供する。
【０００９】
請求項５記載の考案は、上記、上記空気と不凍液等の液体を封入した封入部はビニール又はゴム状パイプ内に空気と液体を封入し、一方を封止し、他方の開口部に圧電素子部を連結したことを特徴とする請求項１、２、３、又は４記載の家屋等の通路等の照明装置を提供する。
【考案の効果】
【００１０】
本考案は、特に家屋の敷地内に設けた門から家屋玄関までの通路の端部又は駐車場に設けたライトが自動的に点灯して人の歩行又は車両の車庫入れの安全が期待できる。
特に、ビニール又はゴム状パイプから成る封入部には、空気と不凍液等の液体とを同時に封入しているために、封入部がこの変化圧を感知した圧電素子は極めて適正に検知性能を発揮し、圧電素子部からの信号により道路の端部又は駐車場等に設けられているライトが人又は車両の通過或いは駐車に適応した点灯が期待できる。この状態は家屋内の階段における照明も同様である。
【図面の簡単な説明】
【００１１】
【図１】家屋の通路へ車両が入ってきている状態を示す斜視図。
【図２】家屋の通路へ人が入ってきている状態を示す斜視図。
【図３】家屋の階段に空気と液体とを封入した封入部に連結された圧電素子部を取り付けた状態を示す側面図。
【図４】ビニールパイプ内に空気と液体とを封入して圧電素子部へ連結された状態を示す断面図。
【図５】空気及び液体を封入した中空角形ゴム成形品の側面及び下部をアングルの凹部に嵌着し、一側開口部を圧電素子部に連結された状態を示す斜視図。
【考案を実施するための形態】
【実施例】
【００１２】
以下、本考案の好適な実施例を図１乃至図５に示す実施例図によって詳細に説明する。
図１は、家屋１の敷地２内に設けられている通路３の入口付近に車両４が入って駐車場５へ向う状態を示している。同図の通路３入口付近には図4及び図５に示すように空気６と不凍液等の液体７とを封入したビニールパイプ８又は中空角形ゴム成形品９を敷設している状態を示す。
【００１３】
図２は、家屋1の敷地２内の通路３の入口付近に人１０が入っている状態を示し、同図においても前記ビニールパイプ８又は中空角形ゴム成形品９は通路３の入口付近に敷設されているが、玄関１１の直前付近の通路３にも敷設されてもよい。尚、図１及び図２において、通路３の端部には所々にライト１２が配設される。図１の場合は、駐車場５にも該ライト１２を配設すれば駐車に一層の便宜をもたらす。
【００１４】
図３は前記中空角形ゴム成形品９を階段１３の前端部に付設した状態を示す。尚、ライト１２は階段を照明するために、天井面等に設けておけばよい。
【００１５】
図４は圧電素子１４を漏斗状ケーシング１５の端部開口部１５ａに付設し、且つ、該漏斗状ケーシング１５ａの他端部のパイプ片１５ｂを前記ビニールパイプ８の一方の開口部８ａに連結して前記圧電素子１４を該ビニールパイプ８内に封入されている空気６及び不凍液等の液体７と板状基板１４ａを介して連通されている。勿論、該ビニールパイプ６の他端部は栓体１６にて密閉され、該ビニールパイプ６内は気密性が保持されている。
【００１６】
上記ビニールパイプ８の長さは特に限定せられるべきではない。例えば、前記通路３の幅と略同じ長さであってもよい。又、該通路３の巾の数倍の長さにして之をジグザグ状に折り曲げ相互を面一に形成されたものを用いてもよい。この場合は通路３に敷設されるビニールパイプ８は広い面積を有して敷設されることになる。
【００１７】
尚、図４において、符号１７は出力線である。該出力線１７はコントローラ１８に接続されている。該コントローラ１８にはアンプ回路、タイマ回路、リレー回路、定電圧回路、感度調整回路、光センサー１９等が配装されており、前記出力線１７から入力される信号を制御して前記ライト１２等の点滅を指令するように構成されている。同図において符号２０はセンサー感度調電ノブ、２１はタイマ調電ノブを示す。尚、前記出力線１７の電気信号が微弱である場合は、アンプ回路にて増幅し、タイマ回路とリレー回路を用いて照明やスピーカーなどを起動させるのである。
【００１８】
次に、図５について説明する。同図において、９は中空角形ゴム成形品である。該中空角形ゴム成形品９は例えば右端部が密閉され、左端部が開放され、そして、該中空角形ゴム成形品９内の中空部に封入されている空気６及び液体７を前記圧電素子１４を有する漏斗状ケーシング１５のパイプ片１５ｂを図４と同様に連通するように構成されている。又、該圧電素子１４を有する漏斗状ケーシング１５はエンドキャップ２２にて保護被覆され、更に、前記出力線１７が前記コントローラ１８に接続されている。
また、同図に示す中空角形ゴム成形品９はその両側面及び底面がチャンネル材２３に嵌着されて保持されている。そして、該中空角形ゴム成形品９はその上面を地表面に露呈して敷設される埋込型であって該チャンネル材２３はステンレス製であることを可とする。
【００１９】
本考案は、上述したように家屋１の敷地２に設けてある通路３の入口付近又は玄関の直前付近に前記圧電素子１４に連通する前記ビニールパイプ８又は中空角形ゴム成形品９を敷設することにより、之を踏圧した人１０又は車両４の重量が該ビニールパイプ８又は中空角形ゴム成形品９内の空気６及び液体７に変動を付与し、この変動圧が直ちに該圧電素子１４に負荷されて、所定の電気信号を前記コントローラ１８に入力させ、該コントローラ１８を介して前記ライト１２を点灯及び或いは点滅させるのである。
特に、人１０の場合は、ライト１２が人の通行に順応して順次点灯及び点滅するように構成することにより、人の出迎え又は見送りを兼ねた照明を演出することができるのである。
【産業上の利用可能性】
【００２０】
本考案は、図３に示す階段にも適応されることはもちろん、工場等の敷地内又は屋上等にも前記実施例と同様に配設されてもよい。
【符号の説明】
【００２１】
１    家屋
２    敷地
３    通路
４    車両
５    駐車場
６    空気
７    液体
８    ビニールパイプ  
８ａ  一方の開口部
９    中空角形ゴム成形品
１０  人
１１  玄関
１２  ライト
１３  階段
１４  圧電素子
１４ａ  板状基板
１５  漏斗状ケーシング
１５ａ  端部開口部
１５ｂ  パイプ片
１６  栓体
１７  出力線
１８  コントローラ
１９  光センサー
２０  感度調整ノブ
２１  タイマ調整ノブ
２２  エンドキャップ
２３  チャンネル材
【図１】
0003189382.tif 000003
【図２】
0003189382.tif 000004
【図３】
0003189382.tif 000005
【図４】
0003189382.tif 000006
【図５】
0003189382.tif 000007
【手続補正書】
【提出日】平成25年12月26日(2013.12.26)
【手続補正２】
【補正対象書類名】実用新案登録請求の範囲
【補正対象項目名】全文
【補正方法】変更
【補正の内容】
【実用新案登録請求の範囲】
【請求項１】
家屋の通路内へ入ってくる人又は車両を検知して、該通路を照明する照明装置であって、該照明装置は空気と不凍液の液体とを封入した封入部を家屋の通路への入口に敷設し、該封入部の上側を人又は車両が通過するとき、封入部の空気及び不凍液の液体の変化によって圧電素子を変形させて電圧を発生させる圧電素子部を有し、該圧電素子部からの信号により、通路端部に設けたライトが点灯して該通路を照明できるように構成したことを特徴とする家屋の通路の照明装置。
【請求項２】
前記家屋の通路は駐車場への通路であって、該通路端部の照明及び又は駐車場を照明するように構成したことを特徴とする請求項１記載の家屋の通路の照明装置。
【請求項３】
前記家屋の通路は家屋の玄関から門までの通路であって、該門から該通路へ人が入ってきたとき、及び又は、玄関から通路へ入ったとき、該通路端部のライトが点灯し、人の進行に伴って順次ライトが点灯点滅して人を送迎する状態を呈するように構成したことを特徴とする請求項1記載の家屋の通路の照明装置。
【請求項４】
上記家屋の通路は家屋の階段であって該階段を人が上下移動するとき該階段脇又は天井に取り付けられているライトを点灯できるように構成されたことを特徴とする請求項1、２又は３記載の家屋の通路の照明装置。
【請求項５】
上記空気と不凍液の液体を封入した封入部はビニール又はゴム状パイプ内に空気と液体を封入し、一方を封止し、他方の開口部に圧電素子部を連結したことを特徴とする請求項１、２、３、又は４記載の家屋の通路の照明装置。